(57)【特許請求の範囲】
【請求項１】
シャワヘッド部と、このシャワヘッド部から下方に連設されたグリップ部とを有し、更に、異なる用途に応じた使い分けができるよう前記シャワヘッド部に対し択一的に着脱自在に装着される複数種類のブラシ部材を備え、
前記シャワヘッド部は、
正面視円形で略ディスク状のシャワ板を前面の中央に有し、また，
背面視略ハート型で、湾曲面に形成された背面部分を有するとともに、
正面視略ハート型で左右対称形状のシャワ板取り付け部分を有する一方、
前記ブラシ部材は、
背面視略円形の湾曲面部分を有し、また、
前記シャワ板取り付け部分の下部両側端部分を覆うよう前記湾曲面部分から前面側に折れ曲がって左右対称位置に形成された前面部分を有するとともに、
前記湾曲面部分から前記ブラシ部材の稜線部分を介して下方に折れ曲がり、下側から上側に向かって前傾する平坦な前面を有するよう形成された正面視略円弧状の垂下片を備えており、
また、この垂下片の前記前面には多数の樹脂体が植えつけられており、
前記ブラシ部材の前記シャワヘッド部への装着時においては、
前記ブラシ部材の前面部分と、前記垂下片と、前記湾曲面部分とで形成される空間内に少なくとも前記シャワ板を残す形で前記シャワヘッド部が位置しており、
しかも、前記ブラシ部材の稜線部分をシャワヘッド部の稜線部分よりも高く位置させるとともに、前記垂下片の前記前面を前記シャワ板の直上に位置させながら、前記ブラシ部材の前記湾曲面部分が前記シャワヘッド部の前記背面部分を覆う状態で、かつ、前記ブラシ部材の前記前面部分が前記シャワ板取り付け部分の下部両側端部分を覆う状態で、前記ブラシ部材が前記シャワヘッド部に装着されていることを特徴とするハンドシャワ。
【請求項２】
前記ブラシ部材の少なくとも一つは、洗髪用である請求項１に記載のハンドシャワ。
【請求項３】
前記ブラシ部材の少なくとも一つは、ペット洗い用である請求項１に記載のハンドシャワ。
【発明の詳細な説明】
【０００１】
【発明の属する技術分野】
この発明は、ハンドシャワに関するものである。
【０００２】
【従来の技術】
シャワヘッド部とグリップ部とを有するハンドシャワとして、例えばペット洗い用のブラシをシャワヘッド部に一体に設けたものや、洗髪用のブラシをシャワヘッド部に一体に設けたものがある。
【０００３】
【発明が解決しようとする課題】
しかし、シャワヘッド部とブラシが一体になっているため、異なる用途に応じた使い分けができなかった。
【０００４】
この発明は、ブラシを設けたものにおいて、異なる用途に応じた使い分けができるハンドシャワを提供することを目的とする。
【０００５】
【課題を解決するための手段】
上記目的を達成するために、この発明のハンドシャワは、シャワヘッド部と、このシャワヘッド部から下方に連設されたグリップ部とを有し、更に、異なる用途に応じた使い分けができるよう前記シャワヘッド部に対し択一的に着脱自在に装着される複数種類のブラシ部材を備え、
前記シャワヘッド部は、
正面視円形で略ディスク状のシャワ板を前面の中央に有し、また，
背面視略ハート型で、湾曲面に形成された背面部分を有するとともに、
正面視略ハート型で左右対称形状のシャワ板取り付け部分を有する一方、
前記ブラシ部材は、
背面視略円形の湾曲面部分を有し、また、
前記シャワ板取り付け部分の下部両側端部分を覆うよう前記湾曲面部分から前面側に折れ曲がって左右対称位置に形成された前面部分を有するとともに、
前記湾曲面部分から前記ブラシ部材の稜線部分を介して下方に折れ曲がり、下側から上側に向かって前傾する平坦な前面を有するよう形成された正面視略円弧状の垂下片を備えており、
また、この垂下片の前記前面には多数の樹脂体が植えつけられており、
前記ブラシ部材の前記シャワヘッド部への装着時においては、
前記ブラシ部材の前面部分と、前記垂下片と、前記湾曲面部分とで形成される空間内に少なくとも前記シャワ板を残す形で前記シャワヘッド部が位置しており、
しかも、前記ブラシ部材の稜線部分をシャワヘッド部の稜線部分よりも高く位置させるとともに、前記垂下片の前記前面を前記シャワ板の直上に位置させながら、前記ブラシ部材の前記湾曲面部分が前記シャワヘッド部の前記背面部分を覆う状態で、かつ、前記ブラシ部材の前記前面部分が前記シャワ板取り付け部分の下部両側端部分を覆う状態で、前記ブラシ部材が前記シャワヘッド部に装着されていることを特徴としている。
【０００６】
【発明の実施の形態】
以下にこの発明の実施の形態について説明する。なお、この発明はそれによって限定されるものではない。
【０００７】
図１〜図９は、この発明の一実施形態を示す。
【０００８】
図１〜図９において、１は、ハンドシャワで、シャワヘッド部２と、このシャワヘッド部２から下方に連設されたグリップ部３とを有し、更に、異なる用途に応じた使い分けができるよう前記シャワヘッド部２に対し択一的に着脱自在に装着される複数種類のブラシ部材４，５を備えている。前記ブラシ部材４は、例えば洗髪用のブラシであり、前記ブラシ部材５は、例えばペット洗い用のブラシである。図２は、ペット洗い用のブラシ部材５をシャワヘッド部２から取り外した後、洗髪用のブラシ部材４をシャワヘッド部２に装着する前の状態をハンドシャワ１の右側面側から示し、図３は、洗髪用のブラシ部材４をシャワヘッド部２に装着してある状態をハンドシャワ１の背面側から示す。
【０００９】
前記シャワヘッド部２は、正面視円形で略ディスク状のシャワ板６を前面（正面）の中央に有し、例えばシャワ散水状態が可能な複数の外側散水孔７および複数の内側散水孔８をそれぞれ、シャワ板６の外周部分および内周部分に有する。また、グリップ部３にＡＢＳがコーティングされており、滑らず握り易くなっている。９は、ＡＢＳがコーティングされてなる滑り止め部分で、アクセントカラーが施されており、このアクセントカラーによりグリップ箇所を強調できる。
【００１０】
一方、前記洗髪用のブラシ部材４は、樹脂製で、少なくとも前記シャワ板６を残す形で前記シャワヘッド部２を覆うとともに、前記シャワヘッド部２への装着時においては、多数の長細い樹脂体１０，１１が植えつけられた板面１２が前記シャワ板６の直上に位置するよう構成されている。
【００１１】
図４は洗髪用のブラシ部材４の正面図を示し、図５は洗髪用のブラシ部材４の右側面図を示し、図６は洗髪用のブラシ部材４の背面図を示す。
【００１２】
シャワヘッド部２は、背面視略ハート型で、湾曲面１３の背面部分２ａを有するとともに、正面視略ハート型で左右対称形状のシャワ板取り付け部分１４を有する。一方、洗髪用のブラシ部材４は、背面視略円形の湾曲面部分２０を有し、シャワヘッド部２の稜線部分３ａよりも更に高い位置の稜線部分４ａを有する形でシャワヘッド部２の背面部分２ａを覆っている。また、洗髪用のブラシ部材４の前記板面１２は下側から上側に向かって前傾した状態の平坦面であり、この板面１２は湾曲面部分２０から稜線部分４ａを介して下方に折れ曲がって形成された正面視略円弧状の垂下片１８の前面である。この板面１２には、板面１２に対して直角な（９０°の）角度を有した状態で板面１２から前方に突出した長い前記樹脂体１０から構成される樹脂体群と、長い樹脂体１０よりも短い前記樹脂体１１から構成される樹脂体群とが左右方向に交互に適宜間隔を有する形で設けられている。この実施形態では、左右方向における中央側に行くほど各樹脂体群を構成する樹脂体１０，１１の数が多くなっている。また、３０は、シャワ板取り付け部分１４の下部両側端部分１４ａ，１４ａを覆うよう湾曲面部分２０から前面（正面側）側に折れ曲がって左右対称位置に形成された前面部分である。そして、この前面部分３０，３０と、板面１２を有する垂下片１８と、湾曲面部分２０とで形成される空間Ｓ内に少なくとも前記シャワ板６を残す形で前記シャワヘッド部２が位置するとともに、前面部分３０，３０と、板面１２を有する垂下片１８と、湾曲面部分２０と、樹脂体１０，１１とで洗髪用のブラシ部材４が構成される。
【００１３】
また、ペット洗い用のブラシ部材５は、樹脂体１０ａを除いて洗髪用のブラシ部材４と同一構成である。すなわち、前面部分３０，３０と、板面１２を有する垂下片１８と、湾曲面部分２０とで形成される空間Ｓ内に少なくとも前記シャワ板６を残す形で前記シャワヘッド部２が位置するとともに、前面部分３０，３０と、板面１２を有する垂下片１８と、湾曲面部分２０と、樹脂体１０と同一構成の樹脂体１０ａとでペット洗い用のブラシ部材５が構成される。
【００１４】
而して、シャワヘッド部２に洗髪用のブラシ部材４あるいはペット洗い用のブラシ部材５を後付けでき、用途に応じてブラシ部材４，５の交換ができる。
【００１５】
また、図７〜図９に示すように、ブラシ部材４，５無しでシャワヘッド部２のみを使用することも可能となる。
【００１６】
【発明の効果】
以上説明したようにこの発明は、シャワヘッド部と、このシャワヘッド部から下方に連設されたグリップ部とを有し、更に、異なる用途に応じた使い分けができるよう前記シャワヘッド部に対し択一的に着脱自在に装着される複数種類のブラシ部材を備えているので、異なる用途に応じた使い分けができるハンドシャワを提供できる。
【図面の簡単な説明】
【図１】    この発明の一実施形態を示す正面図である。
【図２】    上記実施形態において、ペット洗い用のブラシ部材をシャワヘッド部から取り外した後、洗髪用のブラシ部材をシャワヘッド部に装着する前の状態をハンドシャワの右側面側から示した図である。
【図３】    上記実施形態における背面図である。
【図４】    上記実施形態で用いた洗髪用のブラシ部材を示す正面図である。
【図５】    上記実施形態で用いた洗髪用のブラシ部材を示す右側面図である。
【図６】    上記実施形態で用いた洗髪用のブラシ部材を示す背面図である。
【図７】    上記実施形態におけるブラシ部材装着前の状態を示す正面図である。
【図８】    上記実施形態におけるブラシ部材装着前の状態を示す右側面図である。
【図９】    上記実施形態におけるブラシ部材装着前の状態を示す背面図である。
【符号の説明】
１…ハンドシャワ、２…シャワヘッド部、２ａ…背面部分、３…グリップ部、４，５…ブラシ部材、２０…湾曲面部分（背面部分）。
【図１】
0004257077.tif 000002
【図２】
0004257077.tif 000003
【図３】
0004257077.tif 000004
【図４】
0004257077.tif 000005
【図５】
0004257077.tif 000006
【図６】
0004257077.tif 000007
【図７】
0004257077.tif 000008
【図８】
0004257077.tif 000009
【図９】
0004257077.tif 000010